(57)【要約】【課題】  キーボード装置にユーザーが不注意で液体（水等）をこぼした時、液体（水等）が積層シートと補強板の間に毛細管現象により入り込み、この液体（水等）が積層シートの空気穴を通してスペーサ穴の接点部に浸水することを防止する。【解決手段】  積層シートの全周縁及び該積層シートと補強板の全周縁を密閉するとともに前記積層シートの空間部を外気に連通させる空気流通孔を前記積層シートと補強板に連通して底部に設ける。または、前記メンブレンシートの空間部を外気に連通させる空気流通孔を前記メンブレンシートの底部に設けるとともに該空気流通孔と補強板に設けた空気だまり部とを連通した。【選択図】  図１
2006294564.tif 000002
【特許請求の範囲】
【請求項１】
縦横に配列した多数のキー操作部と、前記多数のキー操作部に対向配置され所定の間隔をあけて内部に空間部を形成し該空間部に接点を有する絶縁性の積層シートと、前記積層シートを補強する補強板とを有し、
前記積層シートの少なくとも上側のシートは可撓性の材料から構成され、該積層シートの全周縁及び該積層シートと補強板の全周縁を密閉し、前記積層シートの空間部を外気に連通させる空気流通孔を前記積層シートと補強板に連通して底部に設けることを特徴とするキーボード装置。
【請求項２】
縦横に配列した多数のキー操作部と、前記多数のキー操作部に対向配置され所定の間隔をあけて内部に空間部を形成し該空間部に接点を有する絶縁性の積層シートと、前記積層シートを補強する補強板とを有し、
前記積層シートの少なくとも上側のシートは可撓性の材料から構成され、該積層シートの全周縁と該積層シート及び補強板の全周縁を密閉し、前記積層シートの空間部を外気に連通させる空気流通孔を前記積層シートの底部に設けるとともに該空気流通孔と補強板に設けた空気だまり部とを連通したことを特徴とするキーボード装置。
【発明の詳細な説明】
【技術分野】
【０００１】
本発明は、耐水性のキーボード装置の構造に関するものである。
【背景技術】
【０００２】
従来のキーボード装置は、図５〜図８に示すものがあり、図５に示されるように、キートップ１１、一対のリンク１２、カップゴム１３、ホルダー１４、メンブレンシート１５そして補強板１６により構成される複数のスイッチ部からなっている。メンブレンシート１５は、図７に示されるように、上側シート１５ａ、下側シート１５ｂ、スペーサシート１５ｃの３枚のシートから構成されている。上側シート１５ａ、下側シート１５ｂの各々に相対する面には、Ａｇインクによるパターン部１５ｄ，１５ｅと接点部１５ｇ，１５ｈが配置され、スペーサシート１５ｃには、接点部１５ｇ，１５ｈが露出するようにスペーサ穴１５ｆが設けられている。また、図６に示されるように、補強板１６はキーボード装置の底部に配置され前記メンブレンシート１５を補強しているとともにキーボード装置の構造体となっている。
【０００３】
このようなキーボード装置では、所望のキートップ１１を押下するとリンク部品１２の働きによりキートップ１１は下降する。キートップ１１に接しているカップゴム１３は、これに伴い押しつぶされ内部に設けられた突起１３ａが上シート１５ａの接点部１５ｇを押下し、相対する接点部１５ｈと接触することで電気的ＯＮ状態を得ることができる。また、キートップ１１に加えていた力を解放すると、カップゴム１３の復元力で接点部１５ｇを押下していた突起１３ａとキートップ１１が元の位置に戻り、これに伴い一対の接点部１５ｇ，１５ｈが離れ電気的ＯＦＦ状態を得ることが出来る。
【０００４】
上記の動作によりメンブレンシート１５の上シート１５ａは変形し、スペーサ穴１５ｆの中の空気はメンブレンシート空気穴１５ｉを通じてメンブレンシート１５と補強板１６の間で流動する。
【０００５】
また、このような従来のキーボード装置は、特開平０８−１０２２３５に示されている。これは、フレキシブルボード４を設け、シート５，６の全周縁をシール部材１０により密閉するとともにシート５，６の空間部４ａを外気に連通させる空気流通穴１４，１５をフレキシブルボード４の底面に形成する。キー操作部３操作した場合にはシート５，６内と外気との間に空気流通穴１４，１５を介して空気を流通させてシート５，６のたわみ動作を許容する。また、空気流通穴１４，１５をフレキシブルボード４の底面に形成している。
【特許文献１】特開平０８−１０２２３５号公報
【発明の開示】
【発明が解決しようとする課題】
【０００６】
しかしながら、上記構成のキーボード装置では図８に示されるように、ユーザーが不注意で液体（水等）１７をこぼしてしまった時、液体（水等）１７がメンブレンシート１５と補強板１６の間に毛細管現象により入り込むときがある。この液体（水等）１７がメンブレンシート空気穴１５ｉを通してメンブレンシート１５のスペーサ穴１５ｆに浸水し、接点部１５ｇ，１５ｈにマイグレーション等の機能不良を起こす原因となる。
【０００７】
本発明は、このような実情に鑑みてなされたもので、ユーザーが不注意で液体（水等）１７をこぼした時、液体（水等）１７がメンブレンシート１５と補強板１６の間に毛細管現象により入り込み、この液体（水等）１７がメンブレンシートの空気穴１５ｉを通してスペーサ穴１５ｆに浸水し、該スペーサ穴１５ｆに設けられた接点部１５ｇ，１５ｈにマイグレーション等の機能不良を起こすことを防止するキーボード装置を提案することを目的としている。
【課題を解決するための手段】
【０００８】
上記課題を解決するために、本発明の実施例１の形態のキーボード装置は、縦横に配列した多数のキー操作部と、前記多数のキー操作部に対向配置され所定の間隔をあけて内部に空間部を形成し該空間部に多数の接点を有する絶縁性の積層シートと、前記積層シートを補強する補強板とを有し、前記積層シートの少なくとも上側のシートは可撓性の材料から構成されるとともに該積層シートの全周縁及び該積層シートと補強板の全周縁を密閉し前記積層シートの空間部を外気に連通させる空気流通孔を前記積層シートと補強板に連通して底部に設けることを特徴とするものである。
【０００９】
また、本発明の実施例２のキーボード装置は、縦横に配列した多数のキー操作部と、前記多数のキー操作部に対向配置され所定の間隔をあけて内部に空間部を形成し該空間部に多数の接点を有する絶縁性の積層シートと、前記積層シートを補強する補強板とを有し、前記積層シートの少なくとも上側のシートは可撓性の材料から構成されるとともに該積層シートの全周縁と該積層シート及び補強板の全周縁を密閉し前記メンブレンシートの空間部を外気に連通させる空気流通孔を前記メンブレンシートの底部に設けるとともに該空気流通孔と補強板に設けた空気だまり部とを連通したしたことを特徴とするものである。
【発明の効果】
【００１０】
本発明のキーボード装置によれば、ユーザーが不注意で液体（水等）１７をこぼした時、液体（水等）１７がメンブレンシート１５と補強板１６の間に毛細管現象により入り込み、この液体（水等）１７がメンブレンシートの空気穴１５ｉを通してスペーサ穴１５ｆに浸水し、該スペーサ穴１５ｆに設けられた接点部１５ｇ，１５ｈにマイグレーション等の機能不良を起こすことを防止するキーボード装置を提案することが出来る。
【発明を実施するための最良の形態】
【００１１】
以下、本発明の実施例について図面に従って詳細に説明する。
【００１２】
図１は本発明の実施例におけるキーボード装置１を示す平面図であり、図２は実施例１のキーボード装置の要部説明図である。図３はメンブレンシート２０の説明図、図４は実施例２のキーボード装置の要部説明図である。
なお、各図面に共通する要素については同一の符号を用い、既に説明した部分と同一構造の部分については説明も省略する。
【００１３】
＜実施例１＞
図１、図２と図３を用いて、実施例１のキーボード装置１を詳しく説明する。キーボード装置１はキートップ１１と一対のリンク１２、カップゴム１３、ホルダー１４、メンブレンシート２０そしてメンブレンシート２０に設けられたスペーサ穴２０ｆ部に構成される複数のスイッチ部からなっている。メンブレンシート２０は、上側シート２０ａ、下側シート２０ｂ、スペーサシート２０ｃの３枚のシートから構成されている。上側シート２０ａ、下側シート２０ｂの各々に相対する面には、Ａｇインクによるパターン部２０ｄ，２０ｅと接点部２０ｇ，２０ｈが配置され、スペーサシート２０ｃには、接点部２０ｇ，２０ｈが露出するようにスペーサ穴２０ｆが設けられている。また、図２に示されるように、補強板２１はキーボード装置１の底部に配置され前記メンブレンシート２０を補強しているとともにキーボード装置１の構造体となっている。
【００１４】
そして、前記メンブレンシート２０の少なくとも上側のシート２０ａは可撓性の材料から構成されるとともに該メンブレンシート２０の全周縁をシール剤２２aで、また該メンブレンシート２０と補強板２１の全周縁をシール剤２２ｂで密閉する。前記メンブレンシート２０の空間部を外気に連通させる空気流通孔２０ｉを底部に設け、前記メンブレンシート２０の空気流通孔２０ｉを補強板２１に設けた補強板空気孔２１ａに連通して設ける。
【００１５】
このような構成において、所望のキートップ１１を押下するとリンク部品１２の働きによりキートップ１１は下降する。キートップ１１に接しているカップゴム１３は、これに伴い押しつぶされ内部に設けられた突起１３ａが上側シート２０ａの接点部２０ｇを押下し、相対する接点部２０ｈと接触することで電気的ＯＮ状態を得ることができる。また、キートップ１１に加えていた力を解放すると、カップゴム１３の復元力で接点部２０ｇを押下していた突起１３ａとキートップ１１が元の位置に戻り、これに伴い一対の接点部２０ｇ，２０ｈが離れ電気的ＯＦＦ状態を得ることが出来る。
【００１６】
上記の動作によりメンブレンシート２０の上側シート２０ａは変形し、スペーサ穴２０ｆの中の空気はメンブレンシート空気穴２０ｉを通じて補強板２１に設けた補強板空気孔２１ａから外部に抜ける。
【００１７】
ユーザーが不注意で液体（水等）１７をこぼした時、該メンブレンシート２０の全周縁をシール剤２２aで、また該メンブレンシート２０と補強板２１の全周縁をシール剤２２ｂで密閉している。さらに前記メンブレンシート２０の空間部を外気に連通させる空気流通孔２０ｉを底部に設け、前記メンブレンシート２０の空気流通孔２０ｉを補強板２１に設けた補強板空気孔２１ａに連通して設けているので、液体（水等）１７がメンブレンシート２０と補強板２１の間に毛細管現象により入り込むことが出来ない。したがって、この液体（水等）１７がメンブレンシートの空気穴２０ｉを通してスペーサ穴２０ｆに浸水し、該スペーサ穴２０ｆに設けられた接点部２０ｇ，２０ｈにマイグレーション等の機能不良を起こすことがない。
【００１８】
＜実施例２＞
次に実施例２のについて説明する。なお、実施例１と同じ構造を有するものについては、同じ符号を付与することによってその説明を省略する。また、前記実施例１と同じ動作および同じ効果についても、その説明を省略する。
【００１９】
図４は実施例２のキーボード装置の要部説明図である。
【００２０】
図４において、実施例２のキーボード装置１を詳しく説明する。キーボード装置１はキートップ１１と一対のリンク１２、カップゴム１３、ホルダー１４、メンブレンシート２０そしてメンブレンシート２０に設けられたスペーサ穴２０ｆ部に構成される複数のスイッチ部からなっている。メンブレンシート２０は、上側シート２０ａ、下側シート２０ｂ、スペーサシート２０ｃの３枚のシートから構成されている。上側シート２０ａ、下側シート２０ｂの各々に相対する面には、Ａｇインクによるパターン部２０ｄ，２０ｅと接点部２０ｇ，２０ｈが配置され、スペーサシート２０ｃには、接点部２０ｇ，２０ｈが露出するようにスペーサ穴２０ｆが設けられている。また、図２に示されるように、補強板２１はキーボード装置１の底部に配置され前記メンブレンシート２０を補強しているとともにキーボード装置１の構造体となっている。
【００２１】
そして、前記メンブレンシート２０の少なくとも上側のシート２０ａは可撓性の材料から構成されるとともに該メンブレンシート２０の全周縁をシール剤２２aで、また該メンブレンシート２０と補強板３１の全周縁をシール剤２２ｂで密閉する。前記メンブレンシートの底部には前記メンブレンシート２０の空間部を外気に連通させる空気流通孔２０ｉを設け、前記メンブレンシート２０の空気流通孔２０ｉは補強板３１に設けたスペーサ穴２０ｆ部の容積に対して大容積な補強板空気たまり部３０ａに連通している。この補強板空気たまり部３０ａはキースイッチごとに設けても良いし、またいくつかのキースイッチに共通に設けても良い。
【００２２】
このような構成において、所望のキートップ１１を押下するとリンク部品１２の働きによりキートップ１１は下降する。キートップ１１に接しているカップゴム１３は、これに伴い押しつぶされ内部に設けられた突起１３ａが上側シート２０ａの接点部２０ｇを押下し、相対する接点部２０ｈと接触することで電気的ＯＮ状態を得ることができる。また、キートップ１１に加えていた力を解放すると、カップゴム１３の復元力で接点部２０ｇを押下していた突起１３ａとキートップ１１が元の位置に戻り、これに伴い一対の接点部２０ｇ，２０ｈが離れ電気的ＯＦＦ状態を得ることが出来る。
【００２３】
上記の動作によりメンブレンシート２０の上側シート２０ａは変形し、スペーサ穴２０ｆの中の空気はメンブレンシート空気穴２０ｉを通じて補強板３０に設けた補強板空気たまり部３０ａに連通しているので、スペーサ穴２０ｆ部に対して十分な容量をもった補強板空気たまり部３０ａの中で流動して吸収する。
【００２４】
ユーザーが不注意で液体（水等）１７をこぼした時、該メンブレンシート２０の全周縁をシール剤２２aで、また該メンブレンシート２０と補強板２１の全周縁をシール剤２２ｂで密閉している。さらに前記メンブレンシート２０の空間部を外気に連通させる空気流通孔２０ｉを底部に設け、前記メンブレンシート２０の空気流通孔２０ｉを補強板２１に設けた補強板空気たまり部３０ａに連通している。これにより完全に外部と隔離されているので、液体（水等）１７がメンブレンシート２０と補強板２１の間に毛細管現象により入り込み、この液体（水等）１７がメンブレンシートの空気穴２０ｉを通してスペーサ穴２０ｆに浸水し、該スペーサ穴２０ｆに設けられた接点部２０ｇ，２０ｈにマイグレーション等の機能不良を起こすことがない。
【図面の簡単な説明】
【００２５】
【図１】本発明のキーボード装置を示す平面図である。
【図２】実施例１のキーボード装置の要部説明図である。
【図３】メンブレンシート２０の説明図である。
【図４】実施例２のキーボード装置の要部説明図である。
【図５】従来のキースイッチ構造の要部説明図である。
【図６】従来のキーボード装置の要部説明図である。
【図７】メンブレンシート１５の説明図である。
【図８】液体が浸水した状態を示す説明図である。
【符号の説明】
【００２６】
１１  キートップ
１２  一対のリンク
１３  カップゴム
１５、２０  メンブレンシート
１５ａ、２０ａ  上側シート
１５ｂ、２０ｂ  下側シート
１５ｃ、２０ｃ  スペーサ
１５ｉ、２０ｉ  メンブレンシート空気孔
１６、２１、３０  補強板
２１a  補強板空気穴
２２ａ、２２ｂ  シール剤
３０ａ  補強板空気たまり部
【図１】
2006294564.tif 000003
【図２】
2006294564.tif 000004
【図３】
2006294564.tif 000005
【図４】
2006294564.tif 000006
【図５】
2006294564.tif 000007
【図６】
2006294564.tif 000008
【図７】
2006294564.tif 000009
【図８】
2006294564.tif 000010